(57)【要約】【課題】物品の配色を検討する作業を支援するために、ディスプレイ上に該物品の配色をシミュレーションして表示するシステムにおいて、該配色に使用する色材のデータベースが色情報に加えて価格や納期、在庫、また耐光性、耐候性などの品質情報をも保有するシステムを提供する。【解決手段】本発明の物品配色シミュレーションシステムは、配色のために用いられる色材の情報を保持する色材データベースと、色材データベースから選ばれた色材を用いて物品の配色を表示する表示手段とから成り、前記の色材データベースは色材の色の情報の他に、少なくとも色材の価格、納期、在庫又は品質情報のいずれかを持つ。【選択図】          図１
2004233640.tif 000002
【特許請求の範囲】
【請求項１】
物品の配色のために用いられる色材の情報を保持する色材データベースと、
前記の色材データベースから選ばれた色材を用いて物品の配色を表示する表示手段とから成り、
前記の色材データベースは色材の色の情報の他に、少なくとも色材の価格、納期、在庫又は品質情報のいずれかを持つことを特徴とする物品の配色シミュレーションシステム。
【請求項２】
物品が複数の物品、部材及びまたは部品から成る場合において、
前記の複数の物品、部材及び又は部品が画像データとして部品画像データベースに保持されており、
物品の配色を表示する表示手段は前記画像データを組み合わせた物品について、色材データベースから選ばれた色材を用いて該物品の配色を表示するものである請求項１に記載の物品の配色シミュレーションシステム。
【請求項３】
物品の配色を表示する表示手段と、
前記配色のために用いられる色材の情報を保持する色材データベースとが、
通信手段によって結ばれていることを特徴とする請求項１に記載の物品の配色シミュレーションシステム。
【請求項４】
物品が現に展示、設置または使用されている現場において、物品の画像を取り込む手段により物品の全体またはそれを構成する物品、部材及び又は部品の画像データを入手する手段と、
該画像データを物品の配色を表示する手段で用いることができるデータ形式に画像処理する手段と、
前記画像処理された部品画像を登録する部品画像データベースと、
前記部品画像データベースの部品を組み合わせたものを当該現場において表示する手段とから成る請求項２に記載の物品の配色シミュレーションシステム。
【発明の詳細な説明】
【０００１】
【発明の属する技術分野】
本発明は物品の色彩、配色を決定する作業を支援するために、該物品の配色をディスプレイ上などでシミュレーションして表示するシステムに関する。
【０００２】
【従来の技術】
商品の容器、箱、袋等の包装材や、建物の内装、外装などの物品のデザインにおいて、その色や配色を検討するために色見本帳や塗装見本板等が用いられる。内装のデザインにおいてはカーテンやカーペットの生地見本帳や、壁紙のサンプル帳等も用いられる。
【０００３】
また前記物品の色を検討するために種々の色やその組合せをグラフィック機能を有するコンピュータシステムを用いてディスプレイ上でシミュレーションするシステムが用いられている。
【０００４】
色見本帳や塗装見本帳は種類を豊富に揃えようとするとかさばって不便である。また色材はその原料や組成により価格、入手の容易さ、耐光性などは様々に異なり、実際の配色の検討においては色以外にも前記の価格や品質等に関する情報を考慮する事が不可欠である。
【０００５】
コンピュータのディスプレイ上で配色のシミュレーションを行なうには、高いグラフィック機能を有するコンピュータシステムが必要であり、これらのシステムは持ち運びが容易であるとは言えず、商品が並べられている店頭や、内装・外装を検討する建物のある現場に持ち運んで使用することは難しい。
【０００６】
特許文献１には顧客の好みに応じたインテリアを構成する内装材及び設備の選択を容易にするために、種々の配色パターンで室内景観を図示した見本帳が記載されている。
【０００７】
特許文献２には鏡の前面にカラーサンプルを重ね合わせた状態で人の顔を映し、その人に似合うカラーイメージを選び出し、該カラーイメージに基づいて建築物のインテリアまたはエクステリアをカラーコーディネートすることが記載されている。
【０００８】
特許文献３にはカラーファイルからインテリアを構成する各部材の画像を検索、選択してインテリアの全体像を表示させ、カラーコーディネートプランを作成すること、また各部材の画像に価格情報を持たせてインテリアの全体像を表示した後、その価格を積算可能とすることが記載されている。
【０００９】
【特許文献１】
特開平０７−１２８４２７号公報
【特許文献２】
特開平１０−２７４９３８号公報
【特許文献３】
特開２００１−２６５８４９号公報
【００１０】
【発明が解決しようとする課題】
物品の配色を検討する作業を支援するために、ディスプレイ上に該物品の配色をシミュレーションして表示するシステムにおいて、使用する色材のデータベースが色情報に加えて価格や納期、在庫、また耐光性、耐候性などの品質情報をも保有するシステムを提供する。
【００１１】
また物品が使用されまた存在している現場で配色のシミュレーションを行ない、その現場で結果をみることができるシステムを提供する。
【００１２】
【課題を解決するための手段】
本発明の物品配色シミュレーションシステムは、配色のために用いられる色材の情報を保持する色材データベースと、色材データベースから選ばれた色材を用いて物品の配色を表示する表示手段とから成り、前記の色材データベースは色材の色の情報の他に、少なくとも色材の価格、納期、在庫又は品質情報のいずれかを持つこととしている。
【００１３】
色材のデータベースはインキ、塗料等の着色材料に関するデータを持つ。さらに該色材が塗装または塗布される材料（基材という）に関するデータをも持たせることができる。塗装または塗布される材料（基材）とはインキや塗料が塗られる紙、フィルム、布、金属板や木地等の材料である。同じ色材でも基材が異なれば発色や光沢、外観等は異なるので、色材と、それが適用される基材との組合せを選べるようにすれば、配色シミュレーションをより正確かつ忠実に行なうことができる。
【００１４】
物品が飲料缶である場合を例とすると、その缶表面の絵柄の配色を検討する場合には、文字や絵柄等のデザインの原案が描かれた缶をディスプレイに表示し、文字や絵柄の個々の領域等を指定して色材のデータベースからその指定部分に用いる色材を割り当てると、その領域が該色材で塗られたものが表示される。そしてデータベースの保有するデータに応じてその色の耐光性や耐熱性などの品質情報を参照することもできる。色材が塗られる缶の基材として、メッキ仕上げ、白色塗装仕上げ、アルミや鉄の生地のまま等を選択し、それに色材が塗られた状態を表示させて比較検討することもできる。
【００１５】
また本発明の実施の一形態として、配色をシミュレーションして表示する手段はポータブルコンピュータで構成し、色材データベースや配色された画像を生成する機能は遠隔地にあるホストコンピュータに持たせて、ポータブルコンピュータとホストコンピュータとをインターネット等の通信回線で接続することもできる。このようにすれば飲料缶が並べられている商店の店頭や、内装を検討している建物などにポータブルコンピュータを持ち込み、その場で配色シミュレーションを行なうことができる。
【００１６】
【発明の実施の形態】
（１）
色材データベースは色の情報の他に、その色材の価格や耐光性、耐候性、印刷適性等の品質情報を持たせることができる。また住宅用の材料であればホルマリンの含有等住環境に影響する事項の情報を持たせることも良い。産業上利用する場合は価格情報は特に重要であるので必須とし、その他に耐光性、耐候性、印刷適性、健康への影響等の情報を持たせるようにすることもできる。
色の情報は分光反射率または各種色度値の形式で持つことができる。また一般的な色見本帳に同一の色があればその番号等を参照用に持つことも良い。色材の供給者と連携して該色材の納期、在庫等の情報を持たせたり、配色を検討しているユーザの該色材の使用実績を持たせることもできる。色材の色の情報にはその色材の表面の凹凸や質感も含まれて良い。これらの情報は画像を拡大して表示した場合に有効に利用できる。
【００１７】
表示手段としてはカラーディスプレイを持ったコンピュータを用いることができる。物品の配色を検討するには、カラーディスプレイに物品を表示させ、該物品のある領域を指定または選択し、その領域に色材を割り当てることにより、その領域が該色材で塗られた画像が表示される。
【００１８】
（２）
物品が複数の物品、部材や部品等から成る場合は、全体を表示してその中から特定の部品や領域を指定又は選択することが容易ではない場合がある。例えばインテリアの配色を検討する場合において、家具の置かれた室内の全体画像を用いるとすると、床面全体を領域指定しようとしても、家具等による影が床面に映っているなどにより、単純な画像処理では床全体を指定することは難しいことがある。
【００１９】
そこで部品画像データベースを用意し、このデータベースは配色の検討を行なう際に領域指定が容易に行えるように、例えば領域に区切られた形状と着色面（色材が塗られる面）とを区分して部品画像を持たせるようにすれば、前記の領域指定における問題を解決することができる。前記の室内の全体画像であれば、部品画像データベースは床、壁、天井、窓枠等それぞれが形状と着色面の情報を持ち、これらを組み合わせたものとして全体画像が表示されるようにする。全体画像ができた状態で公知の手段によりさらに光線や照明による影等の画像処理を行なうこともできる。
【００２０】
こうしてできた全体画像においては、家具等が複雑に置かれていたとしても床や壁を領域指定することは容易である。また視線の方向を変えることも公知の手段によって行える。家具等の部品を交換したりすることもできる。
【００２１】
（３）
本発明の物品の配色シミュレーションシステムはカラーディスプレイを持った一体型のコンピュータで構成することができる。
【００２２】
色材データベースや部品画像データベースの情報量が大きい場合や、部品画像データベースから取り込んだ部品等を組み合わせて全体画像を作り、さらにこれらの部品に色材を割り当てて表示するために高性能のコンピュータの使用が適する場合には、配色の指示を入力してそのシミュレーション結果を表示するための表示部分と、データベースや画像処理機能を持つコンピュータを別の装置として、これらを通信回線で結んだシステムとすることもできる。通信回線としてはインターネット等を用いることができる。
【００２３】
前記のような構成であれば、データベースや画像処理機能をホストコンピュータに集約し、データのメンテナンスや処理機能の改良を効率よく行なうことができる。また表示部分はカラーディスプレイの機能が中心であるので、持ち運び可能な形態とすることも可能である。カラーディスプレイはキャリブレーション機能を持つ高品位ディスプレイを用いるのが良い。ここでキャリブレーション機能とは、ディスプレイ上に表示される色を実際に測定し、その測定値をコンピュータによって処理してコンピュータからディスプレイに送られる信号を補正し、表示色を適切なものとする制御機構等を指す。具体例としては、ディスプレイにソニー株式会社製ＣＰＤ−Ｇ５２０を使用し、測色機としてミノルタ株式会社製ＣＲＴ  ＣＯＬＯＲ  ＡＮＡＬＹＺＥＲ  ＣＡ−１００を使用して測色しキャリブレーションを行なう方法がある。
簡易に表示、確認する場合は通常のパソコンのカラーディスプレイを用いることもできる。表示の際は周辺の外光や照明光がディスプレイ画面に映り込んだり反射したりすることを少なくするように覆いや遮蔽板を適宜使用するのが良い。
【００２４】
（４）
前記したように、部品画像データベースに登録される部品のデータは、配色の検討を行なう際の領域の指定が容易であるような形式とすることが良い。一般的な物品（商品、建物の室内、屋外等）をデジタルカメラ等で取り込んだ画像はそのままでは領域の指定等は難しいことがある。スタジオなどで一品ごとに画像を取り込んで画像を処理し、形状と着色面のデータ等に再構成して部品画像データベースに登録していく方法もあるが、スタジオに持ち込めないような物品にはこの方法は適用できない。また画像処理には高度のコンピュータによる処理が必要な場合もある。
【００２５】
そこで現場において物品の画像を取り込み、そのデータを配色検討の際の部品として利用しやすいように画像やデータの処理を行ない、そのように処理されたものを部品画像データベースに登録し、登録された部品画像を当該現場に置かれた表示手段で表示可能なシステムとすることにより、現場において初めて出会う物品についてもその配色検討をその現場で行なうことができる。
【００２６】
このようなシステムは一体型のコンピュータで構成することも可能であるが、前記したように取り込んだ画像から部品画像データベースに登録する形式の画像に変換することは高度の画像処理が必要なことがある。
【００２７】
そこで現場には画像を取り込む手段と部品画像を表示する手段のみを置き、取り込んだ画像を通信回線等によりホストコンピュータに送って画像処理を行なって部品画像データベースに登録し、登録された部品画像は現場に置かれた表示手段において利用可能とするシステム（リモート配色シミュレーションシステムと呼ぶ）とすれば、現場には画像の取り込み手段及び表示手段を置けば良いので現場の機器はコンパクトになり、機動的に利用することができる。
【００２８】
またリモート配色シミュレーションシステムは商品の製造所やその商品の置かれる店頭、また建物のモデルルーム等にも容易に持ち込んで使用できる。例えば店頭で商品を撮影してホストコンピュータで画像処理し、店頭で該商品を表示して配色シミュレーションを行なうことができる。このようにすれば実際に商品が置かれる現場の雰囲気などを考慮しながら配色の検討を行える。
【００２９】
印刷物の見本帳などとは異なり、カラーディスプレイ等で表示する場合は拡大縮小は容易であるので、実物に近い大きさで表示すればシミュレーションの精度を高めることが可能である。
【００３０】
モデルルームであれば、家具等が登録された部品画像データベースから選択してモデルルーム内に置かれた状態で表示できる。配色等も検討した上で気に入れば、家具メーカーから該家具の価格や納期等の情報をオンラインで入手するシステムとすることができる。
【００３１】
【実施例】
図１にリモート配色シミュレーションシステムの一実施例を示す。符号１はカラーディスプレイを有するポータブルコンピュータであり、ノートパソコン等を用いることができる。符号２は画像を取り込むためのデジタルカメラであり、ポータブルコンピュータに接続されている。
【００３２】
ポータブルコンピュータを物品のある場所（商品の展示された店頭や建物のモデルルームなど）に持ち込む。例えば商品として袋入りのペットフードを考えると、現在ペットフードが並べられている陳列棚やその周辺をデジタルカメラで撮影し、その画像を通信回線でホストコンピュータに送る。
【００３３】
ホストコンピュータではペットフードの画像を袋の形状と袋の表面等に分けて再構成し、部品画像データに登録する。また陳列棚の画像も部品として登録する。対象とする商品以外の店内の画像等は背景として一括して登録する。ホストコンピュータは当然に色材データベースを持つ。
【００３４】
部品画像データの登録処理が終わると現場では該データを呼び出して、カラーディスプレイに表示し、袋の表面を領域指定して色材を割り当てて配色のシミュレーションを行える。また事前にデザイナーが作成しておいたデザインを呼び出して袋に貼り付け、さらにその配色を種々検討することもできる。
【００３５】
色材データベースの持つ品質情報を利用して、該色材の耐光性を調べ、店内の照明や太陽光等による色褪せなども考慮できる。
【００３６】
カラーディスプレイで拡大縮小表示をすることにより、袋の原寸に近い状態で確認することもできるし、陳列棚を離れて見たときの印象を確認することもできる。
【００３７】
前記したようにカラーディスプレイはポータブルコンピュータのものを用いて簡易に表示しても良いし、高品位ディスプレイをポータブルコンピュータに接続すればより忠実に表示することができる。
【００３８】
【発明の効果】
本発明の物品配色シミュレーションシステムにより、ディスプレイ上に該物品の配色をシミュレーションして表示すると共に、使用する色材のデータベースのもつ色情報及び価格や納期、在庫、また耐光性、耐候性などの品質情報を利用することができる。
【００３９】
また物品が使用されまた存在している現場で配色のシミュレーションを行ない、その場で結果をみることができる。
【図面の簡単な説明】
【図１】本発明の配色シミュレーションシステムの実施形態の一例である。
【符号の説明】
１    ポータブルコンピュータ
２    画像の取り込み手段（デジタルカメラ）
３    ホストコンピュータ
４    通信回線
【図１】
2004233640.tif 000003